(57)【要約】      （修正有）【課題】計時器の装飾要素のための移動機構を提供する。【解決手段】計時器の装飾要素２のための移動機構であって、装飾要素２は、装飾要素２の軸を画定する心軸１６の周囲に配設した少なくとも２つの装飾面１８ａを含む。移動機構は、円形駆動要素を含み、円形駆動要素は、中心軸回りに回転可能であるように構成し、装飾要素２の装飾面１８ａの１つを見せるように構成した開口２６を含み、開口２６の内側に、装飾要素２を心軸１６回りに回転するように組み付ける。移動機構は、装飾要素２の心軸１６回りに装飾要素２を回転駆動する第１の駆動手段も含み、第１の回転駆動手段は、円形駆動要素上に組み付けられ、円形駆動要素の周辺に設けた固定作動手段と協働するように構成し、装飾要素２が、中心軸回りに回転する間、装飾要素２の心軸１６回りに回転し、円形駆動要素の開口２６内に装飾面１８ａを連続的に表示するようにする。【選択図】図２
2019191179.tif 000002
【特許請求の範囲】
【請求項１】
計時器の装飾要素（２）のための移動機構であって、前記装飾要素（２）は、前記装飾要素（２）の軸を画定する心軸（１５）の周囲に配設した少なくとも２つの装飾面（１８ａ）を含む、移動機構において、前記移動機構は、
円形駆動要素（３）であって、前記円形駆動要素は、中心軸回りに回転可能であるように構成し、前記装飾要素（２）の前記装飾面（１８ａ）の１つを見せるように構成した開口（２６）を含み、前記開口（２６）の内側に、前記装飾要素（２）を前記装飾要素（２）の心軸（１６）回りに回転するように組み付ける、円形駆動要素（３）、及び
前記装飾要素（２）の前記心軸（１６）回りに前記装飾要素（２）を回転駆動させる第１の手段
を含み、前記第１の手段は、前記円形駆動要素（３）上に組み付け、前記円形駆動要素（３）の周辺に設けた固定作動手段と協働するように構成し、前記装飾要素（２）が、前記中心軸回りに回転する間、前記装飾要素（２）の心軸（１６）回りに回転し、前記円形駆動要素（３）の開口（２６）の内側に前記装飾面（１８ａ）を連続的に表示するようにすることを特徴とする、移動機構。
【請求項２】
前記第１の駆動手段は、マルタ十字機構（３０）を含み、前記マルタ十字機構（３０）は、固定作動手段及び歯車列と協働するように構成し、前記歯車列は、前記マルタ十字機構（３０）を前記装飾要素（２）に運動学的に接続する少なくとも１つの中間車（３２）及び第２の中間車（３４）を含むことを特徴とする、請求項１に記載の移動機構。
【請求項３】
前記作動手段は、前記円形駆動要素（３）と同心で、枠上に固定して組み付けたカム（４２）を含み、前記カム（４２）は、前記カム（４２）の外縁部上に、前記第１の駆動手段を作動させるように構成した少なくとも１つの歯（４４）を備えることを特徴とする、請求項１又は２に記載の移動機構。
【請求項４】
前記歯（４４）は、前記マルタ十字機構（３０）を制御するように構成することを特徴とする、請求項２又は３に記載の移動機構。
【請求項５】
前記カム（４２）は、前記カム（４２）の外縁部にわたり分散するｎ個の歯（４４）を含み、前記円形駆動要素（３）が１回転するたび、前記装飾要素（２）がｎ回回転することを可能にすることを特徴とする、請求項３又は４に記載の移動機構。
【請求項６】
前記装飾要素（２）は、ｍ個の装飾面（１８ａ）を含み、ｍは、ｎと等しい又は異なることを特徴とする、請求項５に記載の移動機構。
【請求項７】
前記装飾要素（２）の前記装飾面（１８ａ）は、互いに異なって装飾することを特徴とする、請求項１から６のいずれか一項に記載の移動機構。
【請求項８】
前記円形駆動要素（３）は、環形状であるように中心が中空であり、駆動冠体（６）を含むことを特徴とする、請求項１から７のいずれか一項に記載の移動機構。
【請求項９】
前記機構は、前記中心軸回りに前記円形駆動要素（３）を回転駆動する第２の手段を含み、前記中心軸回りは、前記駆動冠体（６）と協働するように構成することを特徴とする、請求項８に記載の移動機構。
【請求項１０】
前記円形駆動要素（３）は、枠上に組み付けた少なくとも２つの滑り子（５０、５２）によって前記枠上で径方向に保持し、前記滑り子の一方は固定式であり、前記滑り子のもう一方は、可動式であることを特徴とする、請求項１から９のいずれか一項に記載の移動機構。
【請求項１１】
前記装飾要素（２）は、前記装飾要素（２）の前記装飾面（１８ａ）を形成する石（２０）を支持する石保持器（１８）を含み、前記石保持器（１８）は、前記歯車列の前記第１の中間車（３２）と一体であり、前記石保持器（１８）及び前記第１の中間車（３２）は、前記装飾要素（２）の前記心軸（１６）回りに枢動するように組み付けることを特徴とする、請求項２から１０のいずれか一項に記載の移動機構。
【請求項１２】
計時器の装飾要素（２）のための移動機構を含む計時器であって、前記装飾要素（２）は、前記装飾要素（２）の軸を画定する心軸（１５）の周囲に配設した少なくとも２つの装飾面（１８ａ）を含む、移動機構において、前記移動機構は、
円形駆動要素（３）であって、前記円形駆動要素は、中心軸回りに回転可能であるように構成し、前記装飾要素（２）の前記装飾面（１８ａ）の１つを見せるように構成した開口（２６）を含み、前記装飾要素（２）の内側に、前記装飾要素（２）を前記装飾要素（２）の心軸（１６）回りに回転するように組み付ける、円形駆動要素（３）、及び
装飾要素（２）の心軸（１６）回りに前記装飾要素（２）を回転駆動する第１の手段
を含み、前記第１の手段は、前記円形駆動要素（３）上に組み付け、前記円形駆動要素（３）の周辺に設けた固定作動手段と協働するように構成し、前記装飾要素（２）が、前記中心軸回りに回転する間、前記装飾要素（２）の前記心軸（１６）回りに回転し、前記円形駆動要素（３）の前記開口（２６）の内側に装飾面（１８ａ）を連続的に表示するようにすることを特徴とする、計時器。
【請求項１３】
前記計時器は、前記移動機構にエネルギーを供給する少なくとも１つのエネルギー蓄積器、前記移動機構のための調速器、及び前記移動機構のための制御機構を含み、前記制御機構は、ユーザの要求に応じて前記移動機構を始動、停止する第１の制御手段、及び前記エネルギー蓄積器内に残存するエネルギーが決定閾値に達した際、前記移動機構を停止するように構成した第２の制御手段を含むことを特徴とする、請求項１２に記載の計時器。
【請求項１４】
前記制御機構の前記第１の制御手段は、押しボタン、前記移動機構を停止させるストップ位置と、前記移動機構を始動させるゴー位置との間を移動させるように前記押しボタンと協働する作動カム、並びに前記作動カムの前記ストップ位置及び前記ゴー位置を触知し、前記作動カムの前記ストップ位置を検出した際の調速器係止位置と、前記調速器が自由である、前記作動カムの前記ゴー位置を検出した際の動作位置との間を移動させるように構成した第１の係止レバーを備えることを特徴とする、請求項１３に記載の計時器。
【請求項１５】
前記制御機構の前記第２の制御手段は、第２の係止レバー（８０）を含み、前記第２の係止レバー（８０）は、前記調速器が自由である、前記蓄積器のエネルギーが決定閾値よりも高い際の動作位置と、前記蓄積器のエネルギーが前記決定閾値に達した際の調速器係止位置との間を移動するように構成することを特徴とする、請求項１３又は１４に記載の計時器。
【請求項１６】
前記計時器は、前記エネルギー蓄積器に運動学的に接続したパワー・リザーブ表示車セット（８４）上に一体に組み付けたパワー・リザーブ指部（８２）を含み、前記パワー・リザーブ指部（８２）は、前記決定閾値に達した際、前記第２の係止レバー（８０）を押圧し、前記係止レバー（８０）を移動して前記調速器係止位置に入れるように構成することを特徴とする、請求項１５に記載の計時器。
【発明の詳細な説明】
【技術分野】
【０００１】
本発明は、計時器の装飾要素のための移動機構に関し、前記装飾要素は、前記装飾要素の軸を画定する心軸の周囲に配設した少なくとも２つの装飾面を備える。
【背景技術】
【０００２】
この種の移動機構は、例えば、特許文献１に記載されている。装飾要素は、スタッドから形成され、このスタッドは、その軸回りに回転し、立方体又は三角形直角柱の形状を有し、回転軸の周囲に配設したスタッドの面には、異なる色の様々な宝石が嵌め込まれる。計時器は、例えば、１２個のスタッドを含み、スタッドのそれぞれは、時円形部上の時の位置に対応する。スタッドは、回転冠体によりそれぞれの軸回りに回転駆動し、スタッドの面を連続的に見せ、時円形部に様々な外見を与えるようにする。しかし、そのような機構の場合、スタッドがそれぞれの軸回りに単一移動でしか移動できないため、動きが制限される。
【先行技術文献】
【特許文献】
【０００３】
【特許文献１】スイス特許第ＣＨ６８４８１４号
【発明の概要】
【発明が解決しようとする課題】
【０００４】
複雑で魅惑的な動きをもたらすように、装飾要素を異なる複合運動で移動させることができる計時器のための移動機構を提案することにより、上記で挙げた欠点を克服することが本発明の目的である。
【課題を解決するための手段】
【０００５】
この目的で、本発明は、計時器の装飾要素のための移動機構に関し、前記装飾要素は、前記装飾要素の軸を画定する心軸の周囲に配設した少なくとも２つの装飾面を含む。
【０００６】
本発明によれば、前記移動機構は、
円形駆動要素であって、円形駆動要素は、中心軸回りに回転可能であるように構成し、装飾要素の装飾面の１つを見せるように構成した開口を含み、開口の内側では、前記装飾要素はその心軸回りに回転可能である、円形駆動要素、及び
装飾要素の心軸回りに前記装飾要素を回転駆動する第１の手段
を含み、第１の手段は、円形駆動要素上に組み付けられ、環状駆動要素の周辺に設けた固定作動手段と協働するように構成し、前記装飾要素が、中心軸回りに回転する間、装飾要素の心軸回りに回転する及び／又は前記装飾要素の心軸に沿って移動し、円形駆動要素の開口内に装飾面を連続的に表示するようにする。
【０００７】
本発明の移動機構は、２つの複合運動で装飾要素を移動させることを可能にし、これにより、複雑な動きをもたす。
【０００８】
他の特徴及び利点は、添付の図面を参照して、以下の説明から明らかになるであろう。以下の説明は、非限定的な例としてもたらす。
【図面の簡単な説明】
【０００９】
【図１】本発明による移動機構の斜視図である。
【図２】文字板を除いた、本発明の移動機構の上面図である。
【図３】円形駆動要素及び装飾要素の斜視図である。
【図４】回転子受けの斜視図である。
【図５】駆動冠体の斜視図である。
【図６】回転子の斜視図である。
【図７】固定カム及びマルタ十字機構の上面図である。
【図８】円形駆動要素及び装飾要素の断面図である。
【図９】マルタ十字機構及び固定カムを有する円形駆動要素の断面図である。
【図１０】可動滑り子の断面図である。
【図１１】動作位置における、移動機構の制御機構の第２の制御手段の図である。
【図１２】調速器係止位置における、移動機構の制御機構の第２の制御手段の図である。
【発明を実施するための形態】
【００１０】
図１を参照すると、計時器の装飾要素２の移動機構１は、前記装飾要素２を支持するように構成した円形駆動要素３を含む。ここで表す例において、円形駆動要素３は、計時器の文字板に対応する寸法で作製される。別の図示しない変形形態では、円形駆動要素が計時器文字板の一部のみを占めるような寸法で作製し得ることは明らかである。図示の変形形態では、円形駆動要素３は、その中心が環形状になるようにくり抜かれている。したがって、以下の説明では、「円形駆動要素」及び「環状駆動要素」は、参照番号３の部品を指定するのに同等に用いる。
【００１１】
有利には、円形駆動要素３は、図４から図６により詳細に示すように、環形状の回転子８及び回転子受け１０に加えて、可動文字板４、駆動冠体６を含む。回転子８、回転子受け１０、駆動冠体６及び可動文字板４は、互いに重なり、一体に組み付けられる。冠体６は、可動文字板４と回転子受け１０との間に配設される。
【００１２】
ここで表す変形形態では、駆動冠体６は、駆動冠体６の内側周縁部上に配設した内歯部１２を有し、内歯部１２の目的は、以下で説明する。
【００１３】
可動文字板４、駆動冠体６、回転子８及び回転子受け１０は、装飾要素２及びその回転駆動手段を支持するように構成し、回転駆動手段は、以下で説明するように、「第１の駆動手段」と呼ぶ。
【００１４】
環状駆動要素３の中空中心は、固定文字板１４によって埋められ（図９を参照）、固定文字板１４は、枠と一体であり、時及び分を表示する針（図示せず）の心軸が横断する。固定文字板１４は、固定装飾要素１５を支持することができ、固定装飾要素１５は、固定文字板１４上に完全に配置されるか、又は部分的に環状駆動要素３の上にあるように配置される。
【００１５】
図２、図３及び図８を参照すると、装飾要素２は、少なくとも２つの装飾面を含み、装飾面は、前記装飾要素２の回転軸を画定する心軸１６の周囲に配設される。
【００１６】
好ましくは、装飾要素２の装飾面は、互いに異なって装飾され、異なる視覚的外観をもたらすようにする。
【００１７】
有利には、装飾要素２は、装飾要素２を形成する石２０を支持する石保持器１８、及び可動文字板４上に配設され、石保持器１８を取り囲む仕上げ要素２１を含む。
【００１８】
図示の例では、石保持器１８は、互いに対して心軸１６の周囲に約１２０°で配設し、それぞれを石２０が占有する３つの装飾面１８ａ、及び前記心軸１６が直交して通過する２つの平行面１８ｂを有する。
【００１９】
有利には、石２０は、異なる色であり、互いに異なる３つの装飾面１８ａを形成するようにする。例えば、ルビー、エメラルド及びダイヤモンド等の宝石を使用することができる。
【００２０】
本発明によれば、円形駆動要素３は、円形駆動要素３自体の心軸回りに回転可能であるように構成され、円形駆動要素３の心軸は、円形駆動要素によって画定される平面に直交し、前記心軸を中心軸と呼ぶ。中心軸は、好ましくは針の心軸に平行であり、計時器ケースの心軸とは異なっていてもよい。この目的で、円形駆動要素３は、計時器枠上を枢動するように組み付けられる。
【００２１】
好ましくは、円形駆動要素３は、枠上に組み付けた少なくとも２つの滑り子によって枠２２上で径方向に保持され、滑り子の一方は固定式であり、もう一方の滑り子は可動式である。本例では、図２及び図１０を参照すると、環状駆動要素３の内側に約１２０°で配置した３つの滑り子５０、５２があり、２つの滑り子５０は固定式であり、第３の滑り子５２は可動式である。２つの固定滑り子５０は、板４６に固定したピン５４上で、回転子８と接触して枢動するように組み付けられる。第３の可動滑り子５２は、可動滑り子支持体５６上で、軸５５回りに枢動するように組み付けられる。次に、前記可動滑り子支持体５６は、板４６上で軸５７回りに枢動するように組み付けられ、可動滑り子５２が回転子８と接触することを可能にする。可動滑り子ばね５８は、枠上に組み付けられ、その自由端は、可動滑り子支持体５６上に配置した支持体材６０上に載置される。可動滑り子５２は、環状駆動要素３の組立体の遊びを巻き取り、不要な径方向運動を除去し、最適な性能を保証する。
【００２２】
円形駆動要素３は、中心軸回りの回転駆動手段（「第２の駆動手段」と呼ぶ）と協働するように構成される。
【００２３】
有利には、円形駆動要素３を中心軸回りに回転駆動する前記第２の手段は、駆動冠体６と協働するように構成される。より正確には、円形駆動要素３を中心軸回りに回転駆動する第２の手段は、移動機構に動力供給するエネルギー源である香箱（図示せず）と協働する時方輪列の車セット２４を含む。前記車セット２４は、好ましくは、その枠が駆動冠体６の内側周縁部の近傍に配設され、内歯部１２と嵌合し、駆動冠体６を回転駆動し、これにより、環状駆動要素３の第１の駆動手段全体を回転駆動する。調速器又は速度調整器（図示せず）と協働する中間車２５も設ける。前記中間車セット２５は、好ましくは、その枠が駆動冠体６の内側周縁部の近傍に配設され、内歯部１２と嵌合し、駆動冠体６の回転速度を調整し、これにより、環状駆動要素３の全ての要素の回転速度を調整する。香箱から調速器への主歯車列、及び主歯車列から移動機構への第２の歯車列を設けることも可能であることは明らかである。
【００２４】
円形駆動要素３、より詳細には駆動冠体６は、装飾要素２の装飾面１８ａの１つを見せるように構成した開口２６を含み、開口２６の内側に、前記装飾要素２をその心軸１６回りに回転可能であるように組み付ける。この目的で、石保持器１８は、心軸１６回りに自由回転するように組み付けられ、前記心軸１６は、図８に示すように、駆動冠体６上で、心軸１６の端部１６ａによって回転子受け１０と可動文字板４との間に保持され、各端部１６ａは、対応するくぼみ２６ａの内側に配設した平坦部分を有し、くぼみ２６ａは、図５に示すように開口２６の内側に形成される。回転子受け１０は、開口２６の反対側に配設された開口２８も有し、開口２８の内側に、石保持器１８の見えない部分が収容され、自由に動く。
【００２５】
したがって、心軸１６は、ここでは、中心軸に直交する平面に配設される。別の変形形態によれば、設計は、傾斜心軸１６を設けるように修正することができる。更に、心軸１６は、中心軸に対し径方向に配設しても、しなくてもよい。
【００２６】
装飾要素２は、第１の回転駆動手段によって装飾要素２の心軸１６回りに回転駆動され、第１の回転駆動手段は、環状駆動要素３上に組み付けられるか又は搭載され、環状駆動要素３の周辺に設けた固定作動手段と協働するように構成し、前記装飾要素２が、中心軸回りに回転する間、前記装飾要素２の心軸１６回りに回転し、円形駆動要素３の開口２６内で装飾面１８ａを連続的に表示するようにする。
【００２７】
有利には、第１の駆動手段は、マルタ十字機構３０を備え、マルタ十字機構３０は、固定作動手段及び歯車列と協働するように構成し、歯車列は、前記マルタ十字機構３０を装飾要素２に運動学的に接続する少なくとも１つの中間車３２及び第２の中間車３４を備える。
【００２８】
図８を参照すると、第１の中間車３２は、石保持器１８ａの面１８ｂの１つの上に載置され、中空心軸３２ａを含み、中空心軸３２ａは、石保持器１８を通して心軸１６と同軸に組み付けられる。前記心軸３２ａは、石保持器１８ａと一体であり、心軸１６回りに枢動するように組み付け、第１の中間車３２と一体である石保持器１８が、心軸１６回り、即ちここでは、中心軸に直交する平面で、前記第１の中間車３２及びその心軸３２ａと共に回転するようにする。
【００２９】
第２の中間車３４は、マルタ十字機構３０上に一体に組み付けられる。図８及び図９に示すように、マルタ十字機構３０及び第２の中間車３４は、一緒に組み付けられ、円形駆動要素３上で、中心軸に平行な軸で枢動する。より詳細には、マルタ十字機構３０及び第２の中間車３４は、回転子８と回転子受け１０との間に一緒に組み付けられ、回転子８及び回転子受け１０が、円形駆動要素３上に組み付けられるか又は搭載されるようにする。マルタ十字機構３０の心軸３６の端部はそれぞれ、装飾要素２の近傍で、回転子８上に配置した穴３８の内側、及び回転子受け１０上で反対側に配置した穴４０の内側に配設され、第２の中間車３４が、平歯車、円錐歯車又ははすば歯車内で好ましくは９０°で第１の中間車３２と嵌合するようにする。
【００３０】
有利には、マルタ十字機構３０と協働する作動手段は、カム４２を含み、カム４２は、円形駆動要素３に同心であり、枠、例えばムーブメントの板４６上に固定して組み付けられる（図９を参照）。図７を参照すると、前記カム４２は、その外縁部上に少なくとも１つの歯４４を含み、歯４４は、第１の駆動手段を作動する、より詳細には、マルタ十字機構３０を制御するように構成する。
【００３１】
マルタ十字機構３０の各分岐の外形は、カム４２の円形外形に対応するように構成し、マルタ十字機構３０の角度位置が、マルタ十字機構３０の分岐の１つの外形がカム４２の円形部に可能な限り接近する限り、変化しないようにする。回転円形駆動要素３上に組み付けたマルタ十字機構３０が固定カム４２の歯４４に接触すると、マルタ十字機構３０は、マルタ十字機構３０がカム４２の円形外形によって再度係止されるまで、好ましくは９０°回転する。
【００３２】
摩擦ばね４８は、回転子受け１０の下に組み付けられ、摩擦ばね４８の自由端は、第１の中間車３２が載置される面１８ｂの反対にある石保持器１８の面１８ｂと接触する。摩擦ばね４８は、石保持器１８上で従動パッドのように作用し、カム４２の歯４４のそれぞれの上で嵌合するマルタ十字機構３０を妨害するおそれがあるあらゆる振動又は不要な運動を除去する。
【００３３】
カム４２は、カム４２の外縁部にわたり分散するｎ個の歯４４を含み、円形駆動要素３が１回転するたび、装飾要素２がｎ回回転することを可能にする。歯４４は、カム４２にわたり規則的に分散させることができ、円形駆動要素３が回転する間、マルタ十字機構３０、したがって装飾要素２の規則的で連続的な回転を可能にする。歯４４は、例えば図７に示すように、カム４２にわたり不規則的に分散させることもでき、円形駆動要素３が回転する間、マルタ十字機構３０、したがって装飾要素２の不連続な回転を可能にする。
【００３４】
有利には、装飾要素２は、ｍ個の装飾面を含み、ｍは、ｎと等しいか又はｎとは異なる。好ましくは、ｍはｎとは異なる。したがって、例えば、図示の例では、装飾要素２は、３つの装飾面１８ａを有する一方で、カム４２は、４つの歯４４を有し、このことは、円形駆動要素３が回転すると、装飾要素２が、前の回転とは異なる回転順序の装飾面を有し得ることを意味する。
【００３５】
移動機構の駆動要素３には、香箱等の少なくとも１つの自律エネルギー蓄積器によってエネルギーを供給することができ、この自律エネルギー蓄積器は、ムーブメントのエネルギー蓄積器から独立しており、その速度は、調速器によって調整される。香箱は、時方輪列の車セット２４に運動学的に接続されるように構成され、調速器は、中間車２５に運動学的に接続される。
【００３６】
有利には、本発明による移動機構は、計時器ムーブメントの独立した制御機構によって始動、停止することができる。
【００３７】
有利には、そのような制御機構は、２つの機能を加えるように構成した制御手段を備える。即ち、第１の制御手段は、ユーザの要求に応じた移動機構の始動（ゴー）及び停止（ストップ）から構成される第１の機能を加えるように構成し、第２の制御手段は、自律エネルギー蓄積器のエネルギーが移動機構の良好な速度及び適切な動作を保証するには低すぎる際、及び残存するエネルギーが決定エネルギー閾値に達した際の移動機構の停止から構成される第２の機能を加えるように構成する。この第２の機能により、ユーザがストップ指示を与えていない場合でさえ、移動機構が単独で停止することを可能にする。
【００３８】
第１のストップ及びゴー機能を実施するため、制御機構の第１の制御手段は、ストップ及びゴー押しボタンを備える押しりゅうず、移動機構を停止させるストップ位置と、移動機構を始動させるゴー位置との間を移動させることができる作動カムを含むことができ、前記作動カムは、一方で、押しボタンによって作動される作動レバーと協働し、もう一方で、第１の係止レバーと協働し、第１の係止レバーは、作動カムのストップ位置及びゴー位置を触知し、例えば、作動カムのストップ位置を検出した際、調速器に運動学的に接続した中間車２５を係止することによる調速器係止位置と、作動カムのゴー位置を検出した際、前記中間車２５を係止しない、したがって、調速器が自由である動作位置との間を移動させるように構成される。
【００３９】
香箱内のエネルギーが不十分になった際に第２の停止機能を実施するために、制御機構の第２の制御手段は、図１１及び図１２に示すように、第２の係止レバー８０を含むことができ、第２の係止レバー８０は、蓄積器のエネルギーが決定閾値よりも高い際、調速器に運動学的に接続した中間車２５を係止しないため、調速器が自由である動作位置（図１１を参照）と、例えば、蓄積器のエネルギーが前記決定閾値に達した際、前記中間車２５を係止することによる調速器係止位置（図１２を参照）との間を移動するように構成する。この目的で、エネルギー蓄積器に運動学的に接続したパワー・リザーブ表示車セット８４上に一体に組み付けたパワー・リザーブ指部８２を設け、前記パワー・リザーブ指部８２は、決定エネルギー閾値に達した際、第２の係止レバー８０上に設けたピン８６を押圧するように構成する。パワー・リザーブ指部８２がピン８６を押圧すると、第２の係止レバー８０は、第２の係止レバー８０の軸８８回りに傾き、係止位置に入り、図１２に示すように、中間車セット２５を係止する。エネルギー蓄積器が巻き上げられ、蓄積器のエネルギーが決定閾値よりも再度高くなると、パワー・リザーブ車セット８４によって駆動されるパワー・リザーブ指部８２は、ピン８６から遠ざかり、これにより、第２の係止レバー８０は、中間車２５から遠ざかり、図１１に示すように、第２の係止レバー８０の動作位置に戻る。自由端が第２の係止レバー８０上に配置したピン９２と協働するばね９０を設け、前記第２の係止レバー８０を傾け、パワー・リザーブ指部８２がもはやピン８６を押圧しない動作位置に再度戻すようにする。この制御機構により、押しボタンがゴー位置にあるケースでは、ユーザがエネルギー蓄積器を巻き始めるとすぐに、遅滞なく移動機構を再開させることが可能になる。
【００４０】
本発明による移動機構を動作させるため、制御機構は、押しボタンを押圧してゴー位置にすることによって作動される。次に、環状駆動要素３は、駆動冠体６と嵌合する車セット２４を介して回転し、駆動冠体６と共に装飾要素２及び第１の回転駆動手段３０、３２、３４を支持する。環状駆動要素３上に組み付けたマルタ十字機構３０が固定カム３２の歯４４の手前を通過すると、マルタ十字機構３０は９０°枢動する。この場合、マルタ十字機構３０の角度位置の変化は、第２の中間車３４及び第１の中間車３２を介して、装飾要素２に伝達され、好ましくは１２０°の角度により、円形駆動要素３が１回転するたび、装飾要素２を装飾要素２の心軸１６回りに４回回転駆動するようにする。したがって、装飾要素２は、複合運動をもたらし、この複合運動は、一方で、装飾要素２を装飾要素２の心軸１６回りに回転させ、環状駆動要素３の開口２６に装飾面１８ａを連続的に表示するものであり、もう一方で、中心軸回りに環状駆動要素３と共に装飾要素２を回転させるものである。
【００４１】
本発明は、説明した例に限定するものではない。特に、駆動冠体は、その外縁部上に歯部を有することができ、第２の駆動手段は、それに応じて配置される。更に、円形駆動要素３は、中実であってもよく、この場合、滑り子は、例えば、軸受け型の別の径方向保持システムに取り替えられるか、又は円形駆動要素３の外側に配置される。
【符号の説明】
【００４２】
２  装飾要素
３  円形駆動要素
１６  心軸
１８ａ  装飾面
２６  開口
３０  マルタ十字機構
３２  中間車
３４  第２の中間車
【図１】
2019191179.tif 000003
【図２】
2019191179.tif 000004
【図３】
2019191179.tif 000005
【図４】
2019191179.tif 000006
【図５】
2019191179.tif 000007
【図６】
2019191179.tif 000008
【図７】
2019191179.tif 000009
【図８】
2019191179.tif 000010
【図９】
2019191179.tif 000011
【図１０】
2019191179.tif 000012
【図１１】
2019191179.tif 000013
【図１２】
2019191179.tif 000014
【外国語明細書】
2019191179000001.pdf